(57)【要約】      （修正有）【課題】グランドバーを平坦状に維持して、同軸ケーブルに対するグランドバーの電気的な接続性を向上させることを可能とする。【解決手段】グランドバーＧＢのグランド接続面に設けた各突起部ＧＢ２の幅寸法Ｗ２を、グランドバーＧＢの幅寸法Ｗ１より小さく設定して（Ｗ２＜Ｗ１）、グランドバーＧＢのグランド接続面に、突起部ＧＢ２に隣接する平坦面ＧＢ３を設け、その平坦面ＧＢ３によってグランドバーＧＢの曲げ変形に対する剛性を増大させたものである。【選択図】図４
2019040739.tif 000002
【特許請求の範囲】
【請求項１】
予め定められた間隔で配列された複数の同軸ケーブルを径方向に挟んで接触するグランド接続面を備えたグランドバーを有するものであって、
前記グランドバーが、前記同軸ケーブルの延在方向に幅寸法Ｗ１を備えた状態で、前記同軸ケーブルの配列方向に延在する電気コネクタにおいて、
前記グランドバーのグランド接続面には、前記同軸ケーブル同士の間隔に対応した位置に、複数の突起部が設けられ、
前記各突起部は、前記同軸ケーブルの延在方向における幅寸法Ｗ２が、前記グランドバーの幅寸法Ｗ１より小さく設定され（Ｗ２＜Ｗ１）、
前記グランドバーのグランド接続面には、前記同軸ケーブルの延在方向において前記突起部と隣接する平坦面が設けられていることを特徴とする電気コネクタ。
【請求項２】
前記突起部は、前記同軸ケーブルにおける延在方向及び配列方向と直交する方向に見たときの形状が、略矩形状をなしていることを特徴とする請求項１記載の電気コネクタ。
【請求項３】
前記突起部は、前記グランドバーにおける幅寸法Ｗ１の略中央領域に配置されていることを特徴とする請求項１記載の電気コネクタ。
【請求項４】
前記突起部は、前記同軸ケーブルの延在方向に見たときの形状が、略山形形状をなし、
前記山形形状が、平坦状の傾斜面を備えていることを特徴とする請求項１記載の電気コネクタ。
【請求項５】
前記突起部は、前記同軸ケーブルの配列方向の最外端に配置された同軸ケーブルの前記配列方向における外方の位置に、前記最外端に配置された同軸ケーブルに接触する少なくとも一体の突起部を有していることを特徴とする請求項１記載の電気コネクタ。
【発明の詳細な説明】
【技術分野】
【０００１】
本発明は、電気コネクタに関する。
【背景技術】
【０００２】
パソコンやスマートフォンなどの各種電気機器において、信号伝送用の同軸ケーブルを、電気コネクタを介して配線基板等に接続することが広く行われている。そのような電気コネクタに接続される同軸ケーブルとしては、予め定められた一定の間隔で配列された複数の同軸ケーブルが使用されることが多いが、それらの各同軸ケーブルの中心導体（信号線）は、電気コネクタに配列された複数のコンタクト部材の各々に対して直接的に半田接続される一方、各同軸ケーブルの外部導体（シールド線）は、細長状の部材からなるグランドバーを介して半田接続されることが行われている。例えば、図７に示されているように、各同軸ケーブル１００の外部導体（シールド線）に対して、細長状のグランドバー２００が半田付けされ、そのグランドバー２００が、電気コネクタのシェル部材等に接触配置されることで、グランド接続が行われるようになっている。
【０００３】
すなわち、上述したグランドバー２００は、複数の同軸ケーブル１００の各外部導体（シールド線）を径方向に挟むようにして一対のものが使用され、それら一対のグランドバー２００のそれぞれに設けられたグランド接続面２００ａを、各同軸ケーブル１００の外部導体（シールド線）に接触させたコモン接続の状態で半田付けが行われる。このようにグランドバー２００が、複数の同軸ケーブル１００を配列方向に掛け渡すように配置されることによって、上述した複数の同軸ケーブル１００が配列方向に位置合わせされた状態で一体化される。そして、そのグランドバー２００を介して一体化された各同軸ケーブル１００の中心導体（信号線）及び外部導体（シールド線）が、電気コネクタのコンタクト部材及びグランド部材等に対して個別又は一括的に半田接続されるようになっている。
【０００４】
ここで、下記の各特許文献に記載があるように、上述したグランドバーのグランド接続面、すなわち同軸ケーブルに対する接触面には、複数の同軸ケーブルのそれぞれを電気コネクタのコンタクト部材に位置合わせするための位置決め部を備えたものが従来から提案されている。それらの位置決め部は、その同軸ケーブルの配列方向に沿って一定の間隔で波形状をなすように突出している。そして、配列方向に隣接する位置決め部同士の間に形成されている凹状部分に、同軸ケーブルが配置されることによって、電気コネクタに設けられた各コンタクト部材に対して、各同軸ケーブルが配列方向に位置合わせされた整列状態に維持される。
【０００５】
しかしながら、このような従来の位置決め部を備えたグランドバーにおいては、位置決め部が、グランド接続面から突出して肉厚化されていることから剛性が高められる一方で、同軸ケーブルが配置される凹状部分が相対的に薄肉化された状態となっており、曲げ応力に対する強度が低下する傾向がある。そのため、上述した同軸ケーブルが配置される凹状部分において曲げ変形を生じ易く、例えばグランドバーの全体に波形状の変形や反りを招来して、電気コネクタのグランド特性を低下させるおそれがある。
【先行技術文献】
【特許文献】
【０００６】
【特許文献１】特開２００７−１２３１０４号公報
【特許文献２】特許第５１１４２９７号公報
【発明の開示】
【発明が解決しようとする課題】
【０００７】
そこで本発明は、グランドバーを平坦状に維持し、同軸ケーブルに対するグランドバーの電気的な接続性を向上させることができるようにした電気コネクタを提供することを目的とする。
【課題を解決するための手段】
【０００８】
上記目的を達成するため請求項１にかかる発明においては、予め定められた間隔で配列された複数の同軸ケーブルを径方向に挟んで接触するグランド接続面を備えたグランドバーを有するものであって、前記グランドバーが、前記同軸ケーブルの延在方向に幅寸法Ｗ１を備えた状態で、前記同軸ケーブルの配列方向に延在する電気コネクタにおいて、前記グランドバーのグランド接続面には、前記同軸ケーブル同士の間隔に対応した位置に、複数の突起部が設けられ、前記各突起部は、前記同軸ケーブルの延在方向における幅寸法Ｗ２が、前記グランドバーの幅寸法Ｗ１より小さく設定され（Ｗ２＜Ｗ１）、前記グランドバーのグランド接続面には、前記同軸ケーブルの延在方向において前記突起部と隣接する平坦面が設けられた構成が採用されている。
【０００９】
このような構成を備えた請求項１にかかる発明によれば、突起部と隣接する平坦面によって、グランドバーの曲げ変形に対する剛性が増大し、グランドバーが平坦状に維持されることによって同軸ケーブルに対する電気的な接続性が向上されるようになっている。
【００１０】
このとき、請求項２にかかる発明のように、前記突起部は、前記同軸ケーブルにおける延在方向及び配列方向と直交する方向に見たときの形状が、略矩形状をなしていることが望ましい。
【００１１】
このような構成を備えた請求項２にかかる発明によれば、突起部を加工・成型する際における形状が安定する。
【００１２】
また、請求項３にかかる発明のように、前記突起部は、前記グランドバーにおける幅寸法Ｗ１の略中央領域に配置されていることが望ましい。
【００１３】
このような構成を備えた請求項３にかかる発明によれば、グランドバーの変形が幅方向において均質化されることで、同軸ケーブルの電気的な接続性が一層向上される。
【００１４】
さらに、請求項４にかかる発明のように、前記突起部は、前記同軸ケーブルの延在方向に見たときの形状が、略山形形状をなし、前記山形形状が、平坦状の傾斜面を備えていることが望ましい。
【００１５】
このような構成を備えた請求項４にかかる発明によれば、突起部の平坦状の傾斜面が、外形寸法の異なる同軸ケーブルに対して安定的に接触することから、多種類の同軸ケーブルの位置決めが可能となる。
【００１６】
さらに、請求項５にかかる発明のように、前記突起部は、前記同軸ケーブルの配列方向の最外端に配置された同軸ケーブルの前記配列方向における外方の位置に、前記最外端に配置された同軸ケーブルに接触する少なくとも一体の突起部を有することが望ましい。
【００１７】
このような構成を備えた請求項５にかかる発明によれば、同軸ケーブルの配列方向における最外端に配置された同軸ケーブルよりも、半田材が更に外方に流れ出ようとしても、その外方に配置された突起部によって半田材が堰き止められた状態に保持されることとなり、半田材の無駄が低減されるとともに、電気的な短絡等が回避される。
【発明の効果】
【００１８】
以上のように本発明は、グランドバーのグランド接続面に設けた各突起部における同軸ケーブル延在方向の幅寸法Ｗ２を、グランドバーの幅寸法Ｗ１より小さく設定して（Ｗ２＜Ｗ１）、グランドバーのグランド接続面に、同軸ケーブルの延在方向において突起部と隣接する平坦面を設け、その平坦面によってグランドバーの曲げ変形に対する剛性を増大させたものであるから、グランドバーを平坦状に維持して、同軸ケーブルに対するグランドバーの電気的な接続性を向上させることができる。
【図面の簡単な説明】
【００１９】
【図１】本発明の一実施形態にかかる電気コネクタを表した平面説明図である。
【図２】図１中のII - II 線に沿った横断面説明図である。
【図３】図１及び図２に示された電気コネクタの内部構造を表した分解斜視説明図である。
【図４】図１〜図３に示された電気コネクタに用いられているグランドバーが同軸ケーブルに配置された状態を拡大して表した平面説明図である。
【図５】図１〜図３に示された電気コネクタに用いられているグランドバーが同軸ケーブルに配置された状態を拡大して表した正面説明図である。
【図６】図４及び図５に示されているグランドバーに同軸ケーブルをセットする工程を表したものであって、（ａ）は一対のグランドバー素材を配置した状態を、（ｂ）はグランドバー素材に半田材を塗布した状態を、（ｃ）は一方（下方）のグランドバー素材に同軸ケーブルを載置した状態を、（ｄ）は他方（上方）のグランドバーを配置した状態を、（ｅ）は加熱により半田付けを行った後にグランドバーを所定の寸法に切断した状態をそれぞれ表した平面説明図である。
【図７】一般的な構造を有するグランドバーを同軸ケーブルに半田付けした状態を拡大して表した正面説明図である。
【発明を実施するための形態】
【００２０】
以下、本発明の実施形態にかかる電気コネクタを図面に基づいて詳細に説明する。
【００２１】
以下、複数本の同軸ケーブルを印刷配線基板に接続する電気コネクタに本発明を適用した場合の実施形態に関する説明を図面に基づいて詳細に行う。
【００２２】
［電気コネクタの全体構造の概要］
まず、図１〜図３に表された本発明の一実施形態にかかる電気コネクタは、配列された複数の同軸ケーブル（信号伝送媒体）ＳＣの端末部分が連結されたプラグコネクタ１からなるものであって、図示を省略した嵌合相手としてのリセプタクルコネクタに対して略水平方向に対向するように配置された状態で、当該プラグコネクタ１における一端縁部分（電極部分）が、リセプタクルコネクタに設けられた挿入開口部を通して内部に差し込まれることで両電気コネクタ同士の嵌合が行われるようになっている。
【００２３】
このように本実施形態においては、相手コネクタ（リセプタクルコネクタ）に対して、本発明にかかるプラグコネクタ１が「水平面内」において嵌合・抜去されるものとし、当該プラグコネクタ１を差し込む方向を「前方」、及びその反対方向に抜き出す方向を「後方」とする。そして、そのプラグコネクタ１の差し込み側の先端部分を「前端部分」、その反対側に対向する他端部分を「後端部分」とする。
【００２４】
また、本実施形態にかかるプラグコネクタ１は、横長状に形成された樹脂等の絶縁部材からなる絶縁ハウジング１１を備えているが、以下において、絶縁ハウジング１１の長手方向（図１の左右方向）を「コネクタ長手方向」と呼ぶこととする。さらに、図２における上下方向を、プラグコネクタ１における「上下方向」と呼ぶこととする。
【００２５】
上述した絶縁ハウジング１１には、「コネクタ長手方向」（図１の左右方向）に沿って、同一形状を有する複数の導電コンタクト部材（導電端子）１２が、予め定められた一定の間隔で配列されている。そして、これら複数の導電コンタクト部材１２に対応して、プラグコネクタ１の後端部分に、「コネクタ長手方向」に沿って配列された複数の同軸ケーブルＳＣの端末部分が連結されている。これらの各同軸ケーブルＳＣは、「コネクタ長手方向」における配置位置が、上述した導電コンタクト部材１２に対応して設定されており、当該同軸ケーブルＳＣの端末部分が、導電コンタクト部材１２に半田付けされている。
【００２６】
各同軸ケーブルＳＣの端末部分においては、被覆材が皮剥きされることによってケーブル中心導体（信号線）ＳＣａ及びケーブル外部導体（シールド線）ＳＣｂが、同軸状をなすように露出されている。そして、当該同軸ケーブルＳＣの中心軸線に沿って延在するように配置されたケーブル中心導体ＳＣａが、上述した信号伝送用の導電コンタクト部材１２に接続されることによって信号回路が構成されるようになっている。この同軸ケーブルＳＣのケーブル中心導体ＳＣａと導電コンタクト部材１２との接続構造については、後段において詳細に説明する。
【００２７】
また、上述したケーブル中心導体ＳＣａの外周を同心状に取り囲むように配置されたケーブル外部導体ＳＣｂは、「コネクタ長手方向」に延在する導電性のグランド部材からなるグランドバーＧＢによってコモン接続されている。このグランドバーＧＢは、上述した同軸ケーブルＳＣの配列方向（コネクタ長手方向）に沿って延在する細長状の部材から形成されており、当該グランドバーＧＢが、同軸ケーブルＳＣのケーブル外部導体（シールド線）ＳＣｂに対して半田付けにより一括的に接続されている。この同軸ケーブルＳＣが半田付けされたグランドバーＧＢは、図示を省略したリセプタクルコネクタの導電性シェル等を介して印刷配線基板に形成されたグランド回路に電気的に接続されることとなるが、当該グランドバーＧＢの構成については、本発明の要部として後段において詳細に説明する。
【００２８】
［絶縁ハウジングおよび導電コンタクト部材について］
ここで、プラグコネクタ１に設けられた絶縁ハウジング１１は、特に図２に示されているように、プラグコネクタ１の前後方向における中央領域に配置された本体支持部１１ａと、その本体支持部１１ａから前方に向かって延出する嵌合突部１１ｂとを一体的に備えており、それら本体支持部１１ａから嵌合突部１１ｂにかけての上面に、上述した導電コンタクト部材１２がインサート成形等によって埋設又は圧入により保持されている。そのときの導電コンタクト部材１２は、絶縁ハウジング１１の上側表面から上方に露出する状態で略水平に延在している。
【００２９】
このようなプラグコネクタ１に設けられた導電コンタクト部材１２の後端部分には、同軸ケーブルＳＣのケーブル中心導体（信号線）ＳＣａの端末部分が、上方から当接された状態で半田接続されている。このケーブル中心導体ＳＣａと導電コンタクト部材１２との半田接続は、配列方向（コネクタ長手方向）の複数箇所に対して一括的に行うことが可能であり、そのような一括半田接続によって複数の同軸ケーブルＳＣが効率的に連結されるようになっている。
【００３０】
一方、前述したように絶縁ハウジング１１の前端部分に設けられた嵌合突部１１ｂの上側表面には、導電コンタクト部材１２の前方部分を構成している端子電極部１２ａが、露出された状態で配置されている。そして、この導電コンタクト部材１２における前方延在部分を構成している端子電極部１２ａは、前述したようにプラグコネクタ１がリセプタクルコネクタ（相手コネクタ）に嵌合されたときに、当該リセプタクルコネクタに設けられた導電コンタクト部材（リセプタクルコネクタ側のコンタクト部材）に接触することで信号伝送回路が形成される構成になされている。なお、複数の導電コンタクト部材１２のうちの一部を、グランド接続用として構成することも可能である。
【００３１】
［導電性シェルについて］
一方、プラグコネクタ１に設けられた絶縁ハウジング１１の外表面は、導電性の薄板状の金属部材を適宜の形状に折り曲げ形成した導電性シェル１３により覆われている。この導電性シェル１３は、プラグコネクタ１の内部に形成される信号伝送回路及びグランド回路を外方側から覆うことによって電気的ノイズの遮蔽を行うシールド部材として装着されたものであるが、グランド回路の一部を構成する部材でもある。
【００３２】
その導電性シェル１３は、上述した絶縁ハウジング１１を上下方向から挟む一対の上下シェル板の嵌合体から構成されている。これらの上シェル板１３ａ及び下シェル板１３ｂをプラグコネクタ１に装着するにあたっては、その前工程として、同軸ケーブルＳＣの端末部分に対してグランドバー（グランド部材）ＧＢが半田接合された状態になされる。この点については、後段において詳細に説明する。
【００３３】
そして、上述した導電性シェル１３の下半側部分を構成する下シェル板１３ｂが絶縁ハウジング１１に対して下方側から被せられ、その下シェル板１３ｂを被せられた絶縁ハウジング１１の表面に、上述したグランドバーＧＢを半田接合された状態の同軸ケーブルＳＣの端末部分が載置されるようにしてセットされ、その後に、導電性シェル１３の上半側部分を構成する上シェル板１３ａが、絶縁ハウジング１１に対して上方側から被せるようにして装着される。
【００３４】
このような導電性シェル１３を構成している上シェル板１３ａ及び下シェル板１３ｂには、同軸ケーブルＳＣの配列方向（コネクタ長手方向）に沿って複数のグランド接続舌片１３ｃが、切り欠き加工により形成されている。それらの各グランド接続舌片１３ｃは、コネクタ内方側の空間に向かって突出する片持ちの板バネ状をなすように切り起こされており、前述したグランドバーＧＢの表面に対して弾性的に接触される。
【００３５】
そして、プラグコネクタ１が、相手コネクタであるリセプタクルコネクタに嵌合された状態（図示省略）においては、導電性シェル１３の下シェル板１３ｂが、リセプタクルコネクタに装着された導電性シェルの下シェル板の内側表面に対して上方側から当接し、それによってグランド回路（接地回路）が構成されるようになっている。
【００３６】
一方、前述したように、予め定められた間隔で配列された複数の同軸ケーブルＳＣの端末部分は、グランドバーＧＢを介してプラグコネクタ１に接続されているが、本実施形態におけるグランドバーＧＢは、特に図４及び図５に示されているように、同軸ケーブルＳＣの延在方向（図４の紙面上下方向）に一定の幅寸法Ｗ１を備えた細長の板状部材からなり、その幅寸法Ｗ１を備えた状態で、同軸ケーブルＳＣの配列方向（コネクタ長手方向）に延在している。このような細長の板状部材からなるグランドバーＧＢは、同軸ケーブルＳＣを径方向（上下方向）に挟むように一対のものが配置される。
【００３７】
それら一対のグランドバーＧＢ，ＧＢの各々は、互いに対向する内側表面として、前述した同軸ケーブルＳＣに接触するグランド接続面ＧＢ１をそれぞれ備えており、それらの各グランド接続面ＧＢ１が、同軸ケーブルＳＣのケーブル外部導体（シールド線）ＳＣｂにそれぞれ接触したコモン接続の状態で半田付けされることによって、当該グランドバーＧＢ，ＧＢの各々が、複数の同軸ケーブルＳＣを配列方向に掛け渡すように配置された構成になされている。
【００３８】
ここで、上述した各グランドバーＧＢのグランド接続面ＧＢ１には、「コネクタ長手方向」に配列された複数の同軸ケーブルＳＣの間部分を空間的に仕切るための突起部ＧＢ２が、前記グランド接続面ＧＢ１に対するプレス加工等によって複数設けられている。これらの各突起部ＧＢ２は、同軸ケーブルＳＣの配列方向（コネクタ長手方向）に隣接する同軸ケーブルＳＣ同士の間隔部分に対応した位置に、それぞれ配置されており、同軸ケーブルＳＣの延在方向（図４の紙面上下方向）に見たときの正面形状が略山形の形状をなしている。
【００３９】
この突起部ＧＢ２を構成している山形の形状の各々は、一対の平坦状をなす傾斜面を略対称的に備えた構成になされており、それら両平坦状の傾斜面のそれぞれが、同軸ケーブルＳＣ，ＳＣの外周表面と、接線状に接触する配置関係になされている。
【００４０】
ここで、上述した各突起部ＧＢ２は、同軸ケーブルＳＣの延在方向及び配列方向（コネクタ長手方向）の双方に直交する方向（図４の紙面垂直方向）に見たときの平面形状が、略矩形状（略正方形状）をなしている。その平面略矩形状をなす各突起部ＧＢ２の幅寸法、すなわち同軸ケーブルＳＣの延在方向（図４の紙面上下方向）における幅寸法Ｗ２は、上述したグランドバーＧＢが有している全幅寸法Ｗ１よりも小さく設定されている（Ｗ２＜Ｗ１）。そして、その小さい幅寸法をなす突起部ＧＢ２が、グランドバーＧＢの全幅寸法における略中央領域に配置されている。これによって、上述したグランドバーＧＢのグランド接続面ＧＢ１には、同軸ケーブルＳＣの延在方向である幅方向（図４の紙面上下方向）の両端縁部分に平坦面ＧＢ３，ＧＢ３が形成されている。
【００４１】
すなわち、上述したようにグランドバーＧＢの幅方向の両端縁部分においてグランド接続面ＧＢ１に設けられた平坦面ＧＢ３の各々は、同軸ケーブルＳＣの延在方向（図４の紙面上下方向）において突起部ＧＢ２と隣接して配置されているとともに、当該各平坦面ＧＢ３が、同軸ケーブルＳＣの配列方向（コネクタ長手方向）に沿って、細長状に延在する構成になされている。
【００４２】
一方、前述したように突起部ＧＢ２は、同軸ケーブルＳＣの配列方向（コネクタ長手方向）に沿って隣接する同軸ケーブルＳＣ同士の間隔部分に配置されるが、その配列方向（コネクタ長手方向）の最外端に配置された同軸ケーブルＳＣ´の外方の位置に、少なくとも一体の突起部ＧＢ２´を有する。そして、その外方の位置に設けられた突起部ＧＢ２´の平坦状の傾斜面が、最外端の同軸ケーブルＳＣ´の外周表面に接触されるようになっている。
【００４３】
このような構成を備えたプラグコネクタ１においては、グランドバーＧＢに設けられた突起部ＧＢ２の仕切り作用によって、複数の同軸ケーブルＳＣが配列方向（コネクタ長手方向）に位置決めされた状態に配置される。そして、その突起部ＧＢ２に対して幅方向に隣接する状態でグランドバーＧＢのグランド接続面ＧＢ１に設けられた平坦面ＧＢ３によって、グランドバーＧＢの曲げ変形に対する剛性が増大されることとなり、グランドバーＧＢの全体が平坦状に維持されることによって、当該グランドバーＧＢの同軸ケーブルＳＣに対する電気的な接続性が向上される。
【００４４】
特に、本実施形態におけるグランドバーＧＢに設けられた突起部ＧＢ２は、平面形状が略矩形状をなしていることから、その突起部ＧＢ２をプレス等によって加工・成型する際における形状を安定させることができる。
【００４５】
また、この本実施形態にかかる突起部ＧＢ２は、グランドバーＧＢにおける全幅寸法Ｗ１の略中央領域に配置されていることから、グランドバーＧＢの変形が幅方向において均質化されることとなり、同軸ケーブルＳＣの電気的な接続性が一層向上されるようになっている。
【００４６】
さらに、本実施形態にかかる突起部ＧＢ２が有している平坦状の傾斜面は、外形寸法の異なる同軸ケーブルＳＣに対しても安定的に接触することから、多種類の同軸ケーブルの位置決めが可能となる。
【００４７】
さらにまた、本実施形態では、配列方向の最外端に配置された同軸ケーブルＳＣ´の外方の位置に、当該最外端の同軸ケーブルＳＣ´に対して外方から接触する突起部ＧＢ２´が、少なくとも一体設けられていることから、配列方向の最外端に配置された同軸ケーブルＳＣ´よりも、半田材が更に外方に流れ出ようとしても、その外方に配置された突起部ＧＢ２´によって半田材が堰き止められた状態に保持されることとなり、半田材の無駄が低減されるとともに、電気的な短絡等が回避される。
【００４８】
次に、前述したような構成を有するグランドバーＧＢに対して、同軸ケーブルＳＣを半田付けする際の工程を説明する。
【００４９】
まず、図６（ａ）に示されているように、突起部ＧＢ２が形成されたグランドバーＧＢを一部に含む長尺状のグランドバー素材ＧＢＭを一対準備し、それらのグランドバー素材ＧＢＭ，ＧＢＭを平面状に並べた状態に配置しておく。次いで、図６（ｂ）に示されているように、上述した一対のグランドバー素材ＧＢＭ，ＧＢＭのそれぞれに対して、ペースト状の半田材ＰＳを塗布する。このペースト状の半田材ＰＳは、グランドバーＧＢに相当する部分と、そのやや外方にかけての部分に塗布される。
【００５０】
そして、図６（ｃ）に示されているように、一方（図示左方）のグランドバー素材ＧＢＭ、すなわち前述したプラグコネクタ１において下方に位置するグランドバーＧＢを含むグランドバー素材ＧＢＭに対して、複数の同軸ケーブルＳＣを載置する。このときの複数の同軸ケーブルＳＣの各々は、当然のことながら、グランドバーＧＢに相当する位置に配置されるが、前述したように突起部ＧＢ２の仕切り作用によって、配列方向に位置決めされた状態に配置されることとなる。
【００５１】
さらに、図６（ｄ）に示されているように、他方（図６（ｃ）の右方）のグランドバー素材ＧＢＭ、すなわち前述したプラグコネクタ１において上方に位置するグランドバーＧＢを含むグランドバー素材ＧＢＭを、上述した一方（図６（ｃ）の左方）のグランドバー素材ＧＢＭ上の同軸ケーブルＳＣに対して、上方から重ね合わせるように載置する。この段階においては、グランドバー素材ＧＢＭに対して同軸ケーブルＳＣが仮の接続状態にあるが、それらのグランドバー素材ＧＢＭに対して、パルスヒート等によって加熱を施すことによって、同軸ケーブルＳＣとグランドバーＧＢとの間に半田材を流動させ、半田材を充填状態にさせることで接続状態とする。
【００５２】
その後、図６（ｅ）に示されているように、前述したプラグコネクタ１の長さに合わせてグランドバーＧＢを切断し、その切断により構成された同軸ケーブルＳＣとグランドバーＧＢとからなるサブアッセンブリー組を、前述したようにしてプラグコネクタ１に接続する。
【００５３】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５４】
例えば、上述した実施形態は、同軸ケーブル用コネクタに関するものであるが、本発明は、それに限定されるものではなく、絶縁ケーブル用コネクタや、同軸ケーブルと絶縁ケーブルとが複数混合したタイプの電気コネクタ等についても本発明は同様に適用することが可能である。
【産業上の利用可能性】
【００５５】
以上のように本実施形態は、各種電気機器に使用される多種多様な電気コネクタに対して広く適用することが可能である。
【符号の説明】
【００５６】
１  プラグコネクタ
１１  絶縁ハウジング
１１ａ  本体支持部
１１ｂ  嵌合突部
１２  導電コンタクト部材
１２ａ  端子電極部
１３  導電性シェル
１３ａ  上シェル板
１３ｂ  下シェル板
１３ｃ  グランド接続舌片
ＧＢ  グランドバー（グランド部材）
ＧＢ１  グランド接続面
ＧＢ２，ＧＢ２’  突起部
ＧＢ３  平坦面
ＧＢＭ  グランドバー素材
ＳＣ  同軸ケーブル（信号伝送媒体）
ＳＣａ  ケーブル中心導体（信号線）
ＳＣｂ  ケーブル外部導体（シールド線）
ＳＣ´  最外端の同軸ケーブル
ＰＳ  ペースト状半田材
【図１】
2019040739.tif 000003
【図２】
2019040739.tif 000004
【図３】
2019040739.tif 000005
【図４】
2019040739.tif 000006
【図５】
2019040739.tif 000007
【図６】
2019040739.tif 000008
【図７】
2019040739.tif 000009
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
予め定められた間隔で配列された複数の同軸ケーブルを径方向に挟んで接触するグランド接続面を備えたグランドバーを有するものであって、
前記グランドバーが、前記同軸ケーブルの延在方向である幅方向に幅寸法Ｗ１を備えた状態で、前記同軸ケーブルの配列方向に延在する電気コネクタにおいて、
前記グランドバーのグランド接続面には、前記同軸ケーブル同士の間隔に対応した位置に、複数の突起部が設けられ、
前記各突起部は、前記同軸ケーブルの延在方向における幅寸法Ｗ２が、前記グランドバーの幅寸法Ｗ１より小さく設定され（Ｗ２＜Ｗ１）、
前記グランドバーのグランド接続面には、前記同軸ケーブルの延在方向である幅方向において前記突起部と隣接する平坦面が設けられているとともに、
前記突起部が、前記グランドバーにおける幅寸法Ｗ１の略中央領域に配置されたものであって、
前記突起部は、前記同軸ケーブルの配列方向の最外端に配置された同軸ケーブルに対して前記配列方向の外方から接触する突起部と、当該最外端に配置された同軸ケーブルに接触する突起部に対して、前記配列方向の更に外方の位置に配置された突起部の少なくとも一部と、を有していることを特徴とする電気コネクタ。
【請求項２】
前記突起部は、前記同軸ケーブルにおける延在方向及び配列方向と直交する方向に見たときの形状が、略矩形状をなしていることを特徴とする請求項１記載の電気コネクタ。
【請求項３】
前記突起部は、前記同軸ケーブルの延在方向に見たときの形状が、略山形形状をなし、
前記山形形状が、平坦状の傾斜面を備えていることを特徴とする請求項１記載の電気コネクタ。
【手続補正２】
【補正対象書類名】明細書
【補正対象項目名】０００８
【補正方法】変更
【補正の内容】
【０００８】
上記目的を達成するため請求項１にかかる発明においては、予め定められた間隔で配列された複数の同軸ケーブルを径方向に挟んで接触するグランド接続面を備えたグランドバーを有するものであって、前記グランドバーが、前記同軸ケーブルの延在方向である幅方向に幅寸法Ｗ１を備えた状態で、前記同軸ケーブルの配列方向に延在する電気コネクタにおいて、前記グランドバーのグランド接続面には、前記同軸ケーブル同士の間隔に対応した位置に、複数の突起部が設けられ、前記各突起部は、前記同軸ケーブルの延在方向における幅寸法Ｗ２が、前記グランドバーの幅寸法Ｗ１より小さく設定され（Ｗ２＜Ｗ１）、前記グランドバーのグランド接続面には、前記同軸ケーブルの延在方向である幅方向において前記突起部と隣接する平坦面が設けられているとともに、前記突起部が、前記グランドバーにおける幅寸法Ｗ１の略中央領域に配置されたものであって、前記突起部は、前記同軸ケーブルの配列方向の最外端に配置された同軸ケーブルに対して前記配列方向の外方から接触する突起部と、当該最外端に配置された同軸ケーブルに接触する突起部に対して、前記配列方向の更に外方の位置に配置された突起部の少なくとも一部とを有する構成が採用されている。
【手続補正３】
【補正対象書類名】明細書
【補正対象項目名】０００９
【補正方法】変更
【補正の内容】
【０００９】
このような構成を備えた請求項１にかかる発明によれば、突起部と隣接する平坦面によって、グランドバーの曲げ変形に対する剛性が増大し、グランドバーが平坦状に維持されることによって同軸ケーブルに対する電気的な接続性が向上されるようになっている。
また、このような構成を備えた請求項１にかかる発明によれば、グランドバーの変形が幅方向において均質化されることで、同軸ケーブルの電気的な接続性が一層向上されるとともに、同軸ケーブルの配列方向における最外端に配置された同軸ケーブルよりも更に外方に半田材が流れ出ようとしても、その外方に配置された突起部によって半田材が堰き止められた状態に保持されることとなり、半田材の無駄が低減されるとともに、電気的な短絡等が回避される。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
さらに、請求項３にかかる発明のように、前記突起部は、前記同軸ケーブルの延在方向に見たときの形状が、略山形形状をなし、前記山形形状が、平坦状の傾斜面を備えていることが望ましい。
【手続補正７】
【補正対象書類名】明細書
【補正対象項目名】００１５
【補正方法】変更
【補正の内容】
【００１５】
このような構成を備えた請求項３にかかる発明によれば、突起部の平坦状の傾斜面が、外形寸法の異なる同軸ケーブルに対して安定的に接触することから、多種類の同軸ケーブルの位置決めが可能となる。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
以上のように本発明は、グランドバーのグランド接続面に設けた各突起部における同軸ケーブル延在方向の幅寸法Ｗ２を、グランドバーの幅寸法Ｗ１より小さく設定して（Ｗ２＜Ｗ１）、グランドバーのグランド接続面に、同軸ケーブルの延在方向において突起部と隣接する平坦面を設け、その平坦面によってグランドバーの曲げ変形に対する剛性を増大させるとともに、グランドバーにおける幅寸法の略中央領域に配置した突起部を、同軸ケーブルの配列方向の最外端に配置した同軸ケーブルに対して配列方向の外方から接触する突起部と、その突起部に対して更に外方の位置に突起部の少なくとも一部とから構成することによって、グランドバーの変形を幅方向に均質化させて同軸ケーブルの電気的な接続性を向上させつつ、同軸ケーブルの配列方向における最外端に配置した同軸ケーブルよりも更に外方に半田材が流れ出ようとしても、外方に配置した突起部で半田材を堰き止めた状態に保持し、半田材の無駄を低減して電気的な短絡等を回避したものであるから、グランドバーを平坦状に維持して、同軸ケーブルに対するグランドバーの電気的な接続性を向上させることができる。